(57)【特許請求の範囲】
【請求項１】
参加者が目標を達成した場合にご褒美を受け取ることを支援する目標選択及びご褒美提供の支援システムであって、
前記目標選択及びご褒美提供の支援システムは、
記憶装置、目標表示選択手段、ご褒美表示選択手段、受信手段、目標達成確認手段、編集手段、及び、送信手段を備え、
参加者端末装置及び広告主端末装置に対してインターネットを含むネットワークを介して通信可能にされており、
前記記憶装置は、
前記参加者に関連付けて、前記目標の種類、目標達成判断基準、及び、前記ご褒美の種類を格納しており、
前記目標表示選択手段は、
前記参加者端末装置に前記目標の種類の候補を表示し、
前記表示された目標の種類の候補のうち任意のものを前記参加者が選択するのを受け付け、
前記選択された目標の種類、及び、前記選択された目標の種類に対応する前記目標達成判断基準を、前記参加者に関連付けて前記記憶装置に記憶し、
前記ご褒美表示選択手段は、
前記参加者端末装置に前記ご褒美の種類の候補を表示し、
前記表示されたご褒美の種類の候補のうち任意のものを前記参加者が選択するのを受け付け、
前記選択されたご褒美の種類を、前記参加者に関連付けて前記記憶装置に記憶し、
前記受信手段は、
前記参加者端末装置から、前記参加者を特定するデータ及び前記目標を達成した旨の達成確認データを受信し、
前記目標達成確認手段は、
前記受信した参加者を特定するデータに対応する前記目標達成判断基準を前記記憶装置から取得し、
前記受信した達成確認データが、前記取得した目標達成判断基準に、所定の規則を満たす程度に合致しているか否かを判断し、合致している場合は、
前記編集手段は、
前記参加者に対して商品及びサービスの広告を行う広告主に対して前記参加者が前記ご褒美を請求するために使用される請求データであって、前記目標の達成を証明するデータ、又は、前記ご褒美を受け取るためのデータを含む請求データを作成又は編集し、
前記送信手段は、
前記作成又は編集された請求データを前記参加者端末装置に送信し、
前記受信手段が、前記達成確認データを前記参加者による目標達成の自己申告として設定した場合は、
前記編集手段は、
前記参加者を特定するデータ、及び、前記目標達成判断基準を編集することによって、前記広告主から前記参加者に対し前記ご褒美を送付する旨の連絡、又は、前記参加者を前記広告主の店舗へ誘導する旨の連絡を行うために使用する連絡用データを作成し、
前記送信手段は、
前記作成された連絡用データを前記広告主端末装置に送信し、
前記ご褒美表示選択手段は、
前記参加者端末装置に対し、前記広告主の候補を表示し、
前記表示された広告主の候補のうちから任意の前記広告主を前記参加者が選択するのを受け付け、又は、
前記広告主に関する要望又は前記広告主が提供し得るご褒美に対する要望を、前記参加者端末装置から受け付け、
前記受け付けた要望を前記記憶装置に記憶し、
前記目標達成判断基準は、
前記目標が達成されたか否かを判断するための複数の項目を、前記目標の種類ごとに記憶しており、
前記目標達成確認手段は、
前記達成確認データを送信した参加者が選択した目標の種類に対応する複数の項目についての具体的基準を前記目標達成判断基準から取得し、
前記取得した具体的基準と前記受信した達成確認データとを、前記広告主端末装置の画面上に比較可能な状態で表示し、
前記受信した達成確認データが前記取得した具体的基準に所定の規則を満たす程度に合致しているか否かを示す前記広告主からの入力を受け付け、
合致していない旨の入力を受け付けた場合は、前記参加者端末装置に、前記選択された目標が達成されていない旨の通知を送信すること、
を特徴とする目標選択及びご褒美提供の支援システム。
【請求項２】
前記ご褒美表示選択手段は、
前記参加者端末装置に対して、前記ご褒美の区分の候補及び前記ご褒美の提供エリアの候補を表示し、
前記参加者が、前記表示された区分の候補のうち任意のものを選択し、前記表示された提供エリアの候補のうち任意のものを選択するのを受け付け、
前記選択された区分ごとに、かつ、前記選択された提供エリアごとに、前記選択されたご褒美の数量を、前記広告主端末装置に送信すること、
を特徴とする請求項１に記載の目標選択及びご褒美提供の支援システム。
【請求項３】
前記目標達成確認手段は、
前記受信した達成確認データを読み取り、
前記読み取った達成確認データが、前記取得した達成判断基準に、所定の規則を満たす程度に合致しているか否かを判断すること、
を特徴とする請求項２に記載の目標選択及びご褒美提供の支援システム。
【請求項４】
前記請求データは、
カードを使用する取引についての割引を受ける権利を示すデータを含むこと、
を特徴とする請求項３に記載の目標選択及びご褒美提供の支援システム。
【請求項５】
前記目標の種類が、前記参加者が所定の年齢まで生きることである場合は、
前記達成確認データは、
前記参加者の健康保険証、パスポート、又は年金手帳のいずれかを含むこと、
を特徴とする請求項４に記載の目標選択及びご褒美提供の支援システム。
【請求項６】
前記目標の種類が、前記参加者が医療費の削減に協力することである場合は、
前記達成確認データは、
所定の期間内において前記参加者がジェネリック医薬品を所定の金額以上使用したことを証明する書面、又は、所定の期間内において前記参加者が支払った医療費が所定金額以下であったことを証明する書面のいずれかを含むこと、
を特徴とする請求項５に記載の目標選択及びご褒美提供の支援システム。
【請求項７】
前記目標の種類が、前記参加者が所定の年齢まで生きること又は前記参加者が医療費の削減に協力すること以外である場合は、
前記達成確認データは、
前記参加者の学生証、運転免許証、住民票、戸籍謄本、社員証、又は、前記参加者の自己申告書のいずれかを含むこと、
を特徴とする請求項６に記載の目標選択及びご褒美提供の支援システム。
【請求項８】
前記ご褒美表示選択手段が、前記選択されたご褒美の種類を、前記参加者に関連付けて前記記憶装置に記憶した後、
前記送信手段は、
前記参加者が前記目標を達成するための応援メッセージ又は応援クーポン券を前記参加者端末装置に送信する旨の指示を、前記広告主端末装置に送信すること、
を特徴とする請求項７に記載の目標選択及びご褒美提供の支援システム。
【発明の詳細な説明】
【技術分野】
【０００１】
本発明は、ある目標を達成した際にご褒美を受け取ろうとする参加者と、参加者に対して自身の商品又はサービス（以降“商品等”と呼ぶ）の販売促進を行おうとする広告主との間に介在するご褒美提供システムに関する。なお、“参加者”は、ご褒美提供システムが提供するサービスに参加しようとする者という意味を有する。
【背景技術】
【０００２】
自動車保険の分野において、指定期間を無事故で経過した保険契約者がプレゼントを受け取ることが一般に行われている。特許文献１の無事故プレゼントの広告及び提供支援システムは、保険契約者の端末装置と接続されており、保険契約者の保険契約に関するデータを参照する。そして、当該システムは、保険契約者から無事故である旨の自己申告を受け付け、その申告通り無事故であったか否かを判断する。さらに、当該システムは、無事故であると判断した場合は、保険契約者が予め選択しておいたプレゼントが広告主から保険契約者に対して提供されるのを支援する。
【先行技術文献】
【特許文献】
【０００３】
【特許文献１】特許第５６１２７９１号公報
【発明の概要】
【発明が解決しようとする課題】
【０００４】
人生には、例えば、進学、資格の取得、就職、結婚、出産、銀婚式、金婚式、喜寿、米寿等、ご褒美を受け取りたくなるような節目が多く存在する。それ以外にも、スポーツでの勝利及び記録達成、社会的課題の達成、各種受賞等、自身を褒め称えたくなるような目標は多く存在する。目標を達成した場合に自身にご褒美を与えることを夢見て、人間は前向きに生きることができる。このような人生の様々な節目に受け取りたくなる商品等の種類は、実に多様である。
【０００５】
特許文献１のシステムによれば、指定期間を無事故で過ごした保険契約者が、予め自身が選択しておいた無事故プレゼントを広告主あてに請求することができる。しかしながら、特許文献１のシステムは、自動車保険に関する無事故プレゼントに特化されている。したがって、自動車を運転しない者も含む一般の者が、それぞれの好みのご褒美を受け取るには、別途方策が必要であった。さらに、ご褒美の種類が多様になると、ご褒美を提供する広告主もまた多様になり、広告主としても、どのような種類のご褒美についてどの程度の需要が見込めるかを知る必要がある。しかしながら、特許文献１のシステムは、このような需要予測を特に狙ったものではない。
そこで、本発明は、多くの種類のご褒美から好みのものを参加者に選択させ、広告主にご褒美の提供を効率的に準備させることを目的とする。
【課題を解決するための手段】
【０００６】
本発明の１つは、参加者が目標を達成した場合にご褒美を受け取ることを支援する目標選択及びご褒美提供の支援システムであって、前記目標選択及びご褒美提供の支援システムは、記憶装置、目標表示選択手段、ご褒美表示選択手段、受信手段、目標達成確認手段、編集手段、及び、送信手段を備え、参加者端末装置に対してインターネットを含むネットワークを介して通信可能にされており、前記記憶装置は、前記参加者に関連付けて、前記目標の種類、目標達成判断基準、及び、前記ご褒美の種類を格納しており、前記目標表示選択手段は、前記参加者端末装置に前記目標の種類の候補を表示し、前記表示された目標の種類の候補のうち任意のものを前記参加者が選択するのを受け付け、前記選択された目標の種類、及び、前記選択された目標の種類に対応する前記目標達成判断基準を、前記参加者に関連付けて前記記憶装置に記憶し、前記ご褒美表示選択手段は、前記参加者端末装置に前記ご褒美の種類の候補を表示し、前記表示されたご褒美の種類の候補のうち任意のものを前記参加者が選択するのを受け付け、前記選択されたご褒美の種類を、前記参加者に関連付けて前記記憶装置に記憶し、前記受信手段は、前記参加者端末装置から、前記参加者を特定するデータ及び前記目標を達成した旨の達成確認データを受信し、前記目標達成確認手段は、前記受信した参加者を特定するデータに対応する前記目標達成判断基準を前記記憶装置から取得し、前記受信した達成確認データが、前記取得した目標達成判断基準に、所定の規則を満たす程度に合致しているか否かを判断し、合致している場合は、前記編集手段は、前記参加者に対して商品及びサービスの広告を行う広告主に対して前記参加者が前記ご褒美を請求するために使用される請求データであって、前記目標の達成を証明するデータ、又は、前記ご褒美を受け取るためのデータを含む請求データを作成又は編集し、前記送信手段は、前記作成又は編集された請求データを前記参加者端末装置に送信すること、を特徴とする。
【０００７】
本発明の１つは、前記目標選択及びご褒美提供の支援システムが、広告主端末装置に対してインターネットを含むネットワークを介して通信可能にされており、前記受信手段が、前記達成確認データを前記参加者による目標達成の自己申告として設定した場合は、前記編集手段は、前記参加者を特定するデータ、及び、前記目標達成判断基準を編集することによって、前記広告主から前記参加者に対し前記ご褒美を送付する旨の連絡、又は、前記参加者を前記広告主の店舗へ誘導する旨の連絡を行うために使用する連絡用データを作成し、前記送信手段は、前記作成された連絡用データを前記広告主端末装置に送信すること、を特徴とする。
【０００８】
本発明の１つは、前記ご褒美表示選択手段が、前記参加者端末装置に対し、前記広告主の候補を表示し、前記表示された広告主の候補のうちから任意の前記広告主を前記参加者が選択するのを受け付け、又は、前記広告主に関する要望又は前記広告主が提供し得るご褒美に対する要望を、前記参加者端末装置から受け付け、前記受け付けた要望を前記記憶装置に記憶すること、を特徴とする。
【０００９】
本発明の１つは、前記目標達成判断基準が、前記目標が達成されたか否かを判断するための複数の項目を、前記目標の種類ごとに記憶しており、前記目標達成確認手段は、前記達成確認データを送信した参加者が選択した目標の種類に対応する複数の項目についての具体的基準を前記目標達成判断基準から取得し、前記取得した具体的基準と前記受信した達成確認データとを、前記広告主端末装置の画面上に比較可能な状態で表示し、前記受信した達成確認データが前記取得した具体的基準に所定の規則を満たす程度に合致しているか否かを示す前記広告主からの入力を受け付け、合致していない旨の入力を受け付けた場合は、前記参加者端末装置に、前記選択された目標が達成されていない旨の通知を送信すること、を特徴とする。
【００１０】
本発明の１つは、前記ご褒美表示選択手段が、前記参加者端末装置に対して、前記ご褒美の区分の候補及び前記ご褒美の提供エリアの候補を表示し、前記参加者が、前記表示された区分の候補のうち任意のものを選択し、前記表示された提供エリアの候補のうち任意のものを選択するのを受け付け、前記選択された区分ごとに、かつ、前記選択された提供エリアごとに、前記選択されたご褒美の数量を、前記広告主端末装置に送信すること、を特徴とする。
【００１１】
本発明の１つは、前記請求データが、カードを使用する取引についての割引を受ける権利を示すデータを含むこと、を特徴とする。
【００１２】
本発明の１つは、前記目標の種類が、前記参加者が所定の年齢まで生きることである場合は、前記達成確認データは、前記参加者の健康保険証、パスポート、又は年金手帳のいずれかを含むこと、を特徴とする。
【００１３】
本発明の１つは、前記目標の種類が、前記参加者が医療費の削減に協力することである場合は、前記達成確認データは、所定の期間内において前記参加者がジェネリック医薬品を所定の金額以上使用したことを証明する書面、又は、所定の期間内において前記参加者が支払った医療費が所定金額以下であったことを証明する書面のいずれかを含むこと、を特徴とする。
【００１４】
本発明の１つは、前記目標の種類が、前記参加者が所定の年齢まで生きること又は前記参加者が医療費の削減に協力すること以外である場合は、前記達成確認データは、前記参加者の学生証、運転免許証、住民票、戸籍謄本、社員証、又は、前記参加者の自己申告書のいずれかを含むこと、を特徴とする。
【００１５】
本発明の１つは、前記目標達成確認手段が、前記受信した達成確認データを読み取り、前記読み取った達成確認データが、前記取得した達成判断基準に、所定の規則を満たす程度に合致しているか否かを判断すること、を特徴とする。
【００１６】
本発明の１つは、前記ご褒美表示選択手段が、前記選択されたご褒美の種類を、前記参加者に関連付けて前記記憶装置に記憶した後、前記送信手段は、前記参加者が前記目標を達成するための応援メッセージ又は応援クーポン券を前記参加者端末装置に送信する旨の指示を、前記広告主端末装置に送信すること、を特徴とする。
【発明の効果】
【００１７】
本発明は以下の効果を奏する。
（１）参加者は、自身が希望する目標を多くの選択肢のうちから選択することができ、自身が希望するご褒美を多くの選択肢のうちから選択することができる。広告主は、目標を達成したことが客観的に担保された参加者から請求データを受信することができる。
（２）参加者が広告主の店舗に来店してご褒美を受け取る場合、参加者は、目標達成を確認する書類等を持参すべきことを知ることができる。
（３）参加者は、自身が希望する広告主を多くの選択肢のうちから選択することができ、さらに、ご褒美又は広告主に対する要望を送信することができる。
（４）広告主は、参加者が目標を達成したか否かを客観的に、かつ、参加者が選択した目標に応じて的確に判断することができる。さらに、参加者は、目標を達成できていないことを知ることができる。
【００１８】
（５）広告主は、業種ごとかつエリアごとに、ご褒美の需要量を知ることができる。よって、業種ごとかつエリアごとに、適当な広告主が選定され得る。
（６）広告主は、“カード・リンクド・オファー”の型式を用いて、参加者に対してご褒美を提供できる。
（７）参加者は、長生きに対する動機を維持し、実際に長生きをした場合には、身近な公的書類によってそのことを証明できる。
（８）参加者は、社会的必要性の高い医療費の削減に対する動機を維持し、実際に削減した場合は、身近に入手可能な書類によってそのことを証明できる。
【００１９】
（９）参加者は、入手が容易な書類によって目標を達成したことを証明できる。
（１０）広告主は、参加者が目標を達成されたか否かを正確に判断できる。
（１１）広告主は、参加者の好みを正確に知り、その好みに応じて的確に広告活動を行うことができる。
（まとめ）本発明は、参加者の嗜好と広告ターゲットとをマッチングさせるという既存の広告配信方法とは一線を画する。本発明によれば、参加者は自身が希望する商品の区分、提供エリアを直接的に要求し、広告主は、当該区分及び提供エリアを要求した参加者に対して直接的に広告することができる。
【図面の簡単な説明】
【００２０】
【図１】目標選択及びご褒美提供の支援システムの構成図である。
【図２】処理手順を説明する図である。
【図３】（ａ）は、ご褒美アンケート画面の一例を示す図である。（ｂ）は、  エリアアンケート画面の一例を示す図である。
【図４】カード・リンクド・オファーを使用する処理手順を説明する図である。
【図５】目標達成判断基準データの一例を示す図である。
【発明を実施するための形態】
【００２１】
〈第１の実施形態〉
本発明の第１の実施形態では、目標選択及びご褒美提供の支援システム（以降では、単に“本システム”とも呼ぶ）の運営主体が、個人の参加者に対して、ご褒美を請求するためのサービスを提供する例を説明する。
【００２２】
図１に沿って、本システムの構成を説明する。本システム１は、一般的なコンピュータであり、参加者が操作する参加者端末装置２及び広告主が操作する広告主端末装置３と、ネットワーク４を介して通信可能に接続されている。本システム１は、記憶装置５を有する。記憶装置５は、参加者データ２１、広告主データ２２、ご褒美データ２３、目標データ２４、及び、目標達成判断基準データ２５を記憶している。
【００２３】
本システム１は、プログラムとしての、目標表示選択手段６、ご褒美表示選択手段７、受信手段８、目標達成確認手段９、編集手段１０、及び、送信手段１１を有する。以降の説明において“○○手段は”と主体を記した場合、それは、本システム１の中央制御装置（図示せず）が記憶装置５からこれらのプログラムを読み出し、メモリ（図示せず）にロードしたうえで、各プログラムの機能を実現することを示すものとする。
【００２４】
図２に沿って、処理手順を説明する。
（ステップＳ１：広告主からのデータ登録）
本システム１の受信手段８は、広告主端末装置３から、広告主データ２２、ご褒美データ２３、目標データ２４、及び、目標達成判断基準データ２５を受信する。その後、本システム１の記憶装置５は、これらのデータを自身に記憶する。通常広告主は複数存在するので、受信手段８及び記憶装置５は、当該処理を広告主ごとに繰り返す。
【００２５】
広告主データ２２とは、広告主を一意に特定する識別子である。
ご褒美データ２３とは、広告主が提供し得る複数のご褒美の集合である。複数のご褒美としては、例えば“商品Ａ”、“商品Ｂ”、・・・や商品のジャンル等が存在し、それらのそれぞれを“ご褒美の種類”と呼ぶ。ご褒美の種類に対し、当該ご褒美が提供され得る参加者の属性（性別、年齢等）が関連付けられているものとする。
目標データ２４とは、参加者が達成すべき複数の目標の集合である。複数の目標としては、例えば“所定大学の合格”、“運転免許証の取得”、・・・等が存在し、それらのそれぞれを“目標の種類”と呼ぶ。
ご褒美の種類及び目標の種類は、広告主データ２２と関連付けられている。
【００２６】
目標達成判断基準データ２５とは、縦軸を目標の種類とし、横軸を判定項目とするマトリックスである（図５参照）。縦軸と横軸との交点に、“具体的基準”が記憶される。縦軸の目標の種類としては、例えば、前記した“所定大学の合格”、“運転免許証の取得”の他にも“８８歳まで長生き”、“１年間健康でいること”、“はじめての自動車購入”、“はじめての自動車保険”、・・・等が存在する。横軸の判定項目としては、例えば“確認書類”、“確認書類内に記載の氏名”、“確認書類の発行日付”、“確認書類内のチェック項目”・・・等が存在する。
【００２７】
より具体的には、目標の種類が“所定大学の合格”である場合、判定項目“確認書類”に対し具体的基準 “学生証”が記憶されている。“学生証”の代わりに“合格通知”が記憶されていてもよい。
目標の種類が“８８歳まで長生き”である場合、判定項目“確認書類”に対し具体的基準 “健康保険証、パスポート、年金手帳”が記憶されている。
【００２８】
図５に記されている例の他に、目標の種類が“結婚”である場合、判定項目“確認書類”に対し具体的基準 “住民票”が記憶されてもよい。“住民票”の代わりに“戸籍謄本”が記憶されていてもよい。
目標の種類が“就職”である場合、判定項目“確認書類”に対し具体的基準“社員証”が記憶されてもよい。
目標の種類が“金婚式”である場合、判定項目“確認書類”に対し具体的基準 “地方自治体の証明書”が記憶されてもよい。
目標の種類が“医療費の削減に対する協力”である場合、判定項目“確認書類”に対し具体的基準 “所定の期間内において参加者がジェネリック医薬品を所定の金額以上使用したことを証明する書面”又は“所定の期間内において参加者が支払った医療費が所定金額以下であったことを証明する書面”が記憶されてもよい。その一例として、薬剤師が発行するジェネリック医薬品の領収書、健康保険組合が被保険者宛てに１年に１回発行している“医療費のお知らせ”等が挙げられる。
【００２９】
（ステップＳ２：参加者の登録）
本システム１の受信手段８は、参加者端末装置２から、参加者データ２１を受信する。参加者データ２１とは、参加者を一意に特定するデータ（氏名、住所、性別、年齢、メールアドレス等）である。参加者が匿名性を希望する場合、参加者データ２１は、個人を完全に特定するデータである必要はない。例えば、ハンドルネーム、メールアドレス等、本システム１が参加者の同一性を特定できる最低限のデータであればよい。いずれにしても、受信手段８は、参加者を認証するためのパスワードを初期設定し、参加者端末装置２に送信する。参加者は、初期設定をいつでも変更することができる。
【００３０】
（ステップＳ３：目標及びご褒美の選択）
第１に、本システム１の目標表示選択手段６は、参加者端末装置２にすべての目標の種類を候補として表示する。そして、参加者が候補の１つを選択するのを受け付ける。なお、参加者端末装置２に表示する目標の種類の候補が１つしかない場合、目標表示選択手段６は、参加者に対して当該候補を選択するか否かの判断を行わせることになる。
第２に、目標表示選択手段６は、選択された目標の種類と、当該目標の種類に対応する具体的基準の集合とを、参加者データ２１に関連付けて記憶装置５に記憶する。
【００３１】
第３に、本システム１のご褒美表示選択手段７は、参加者データ２１に含まれる参加者の属性に基づいて、当該参加者に提供され得るご褒美の種類をすべて取得する。そして、取得したご褒美の種類を参加者端末装置２に候補として表示し、参加者が候補の１つを選択するのを受け付ける。
第４に、ご褒美表示選択手段７は、選択されたご褒美の種類を参加者データ２１に関連付けて記憶装置５に記憶する。
【００３２】
第５に、目標表示選択手段６は、参加者端末装置２に目標達成判断基準データ２５を表示する。すると、参加者は、自身が選択した目標の種類に対応する具体的基準（目標達成の証明方法）を知ることができる。
【００３３】
（ステップＳ３ｂ：広告主に対する要望）
本システム１のご褒美表示選択手段７は、ステップＳ３の“第３”の処理を行う段階で、以下の処理を追加的に実行してもよい。なお、ステップＳ３ｂは、図２において図示されていない（後記するステップＳ３ｃ、Ｓ５ｂ及びＳ１１〜Ｓ１３についても同様）。
第１に、ご褒美表示選択手段７は、参加者端末装置２に、広告主の候補を表示し、参加者が広告主の候補のうち任意のものを選択するのを受け付ける。
第２に、ご褒美表示選択手段７は、選択された広告主についての要望、又は、選択された広告主が提供し得るご褒美についての要望を、参加者が入力するのを受け付ける。
第３に、ご褒美表示選択手段７は、受け付けた要望を選択された広告主に関連付けて記憶装置５に記憶する。
【００３４】
さらに、ご褒美表示選択手段７は、例えば１月に１回等の周期で、当該広告主が操作する広告主端末装置３に、要望を送信してもよい。
【００３５】
（ステップＳ３ｃ：参加者に対する応援）
広告主にとって、自身が提供し得るご褒美を選択した参加者は、将来の重要顧客である。広告主が参加者に対して目標を達成するための応援メッセージ又は応援クーポンを送信できれば便利である。そこで、本システム１の送信手段１１は、ステップＳ３の処理の直後に、広告者端末装置３に対して“指示”を送信してもよい。当該指示の内容は、“参加者が目標を達成するための応援メッセージ又は応援クーポンを、当該参加者が操作する参加者端末装置２に送信すること”である。参加者によっては、目標の達成までは自身の個人情報を広告主に知られたくない場合もある。このような場合、本システム１の送信手段１１は、応援メッセージ又は応援クーポンを参加者端末装置２に直接送信してもよい。
【００３６】
（ステップＳ４：目標達成の連絡）
本システム１の受信手段８は、参加者端末装置２から、参加者データ２１及び達成確認データを受信する。達成確認データとは、ステップＳ３の“第１”において参加者が選択した目標の種類に対応する具体的基準の群に相当するデータである。つまり、参加者は、“学生証”、“住民票”等のコピーを達成確認データとして送信することとなる。
【００３７】
（ステップＳ５：目標達成の確認）
第１に、本システム１の目標達成確認手段９は、ステップＳ４において受信した参加者データ２１を検索キーとして記憶装置５を検索し、該当する具体的基準を取得する。
第２に、目標達成確認手段９は、ステップＳ４において受信した達成確認データを読みとる。
【００３８】
第３に、目標達成確認手段９は、読み取った達成確認データと、ステップＳ５の“第１”において取得した具体的基準とを照合し、所定の規則を満たす程度に両者が合致しているか否かを判断する。所定の規則とは、例えば、“達成確認データが４つの具体的基準のうちの３つ以上について合致する”、“達成確認データが確認書類について合致し、かつ、他の具体的基準のうち２つ以上について合致する”等である。
第４に、目標達成確認手段９は、ステップＳ５の“第３”において合致すると判断した場合は、ステップＳ６に進む。合致しないと判断した場合には、処理を終了する。
【００３９】
（ステップＳ５ｂ：広告主による目標達成の確認）
本システム１の目標達成確認手段９は、ステップＳ５の処理に替えて、以下のステップＳ５ｂを実行してもよい。
第１に、目標達成確認手段９は、ステップＳ４において受信した参加者データ２１を検索キーとして記憶装置５を検索し、該当する具体的基準を取得する。
第２に、目標達成確認手段９は、ステップＳ４において受信した達成確認データを読みとる。
第３に、目標達成確認手段９は、読み取った達成確認データと、ステップＳ５ｂの“第１”において取得した具体的基準とを、広告主端末装置３に送信する。
【００４０】
第４に、目標達成確認手段９は、送信した達成確認データ及び具体的基準を、広告主端末装置３に比較可能な状態で表示する。
第５に、目標達成確認手段９は、広告主が自身の判断結果を入力するのを受け付ける。広告主は、達成確認データと具体的基準とを照合し、所定の規則を満たす程度に両者が合致しているか否かを判断するものとする。
第６に、目標達成確認手段９は、ステップＳ５ｂの“第５”における判断結果が “合致しない”である場合は、目標が達成されていない旨の通知を、参加者端末装置２に送信し、処理を終了する。判断結果が “合致する”である場合は、ステップＳ６に進む。
【００４１】
（ステップＳ６：請求データの送信）
第１に、本システム１の編集手段１０は、ステップＳ４において受信した参加者データ２１を検索キーとして、当該参加者が選択したご褒美の種類を記憶装置５から取得する。
第２に、編集手段１０は、取得したご褒美の種類を検索キーとして、当該ご褒美の種類を提供する広告主の広告主データ２２を記憶装置５から取得する。
第３に、編集手段１０は、受信した参加者データ２１、取得したご褒美の種類、及び、取得した広告主データ２２の組み合わせに対して保証文言“目標達成確認済”を付し、さらに、広告主に対する具体的な請求方法を付し、“請求データ”とする。
第４に、本システム１の送信手段１１は、請求データを参加者端末装置２に送信する。
第５に、参加者端末装置２は、本システム１から請求データを受信する。
【００４２】
（ステップＳ７：ご褒美の請求）
参加者端末装置２は、広告主端末装置３に“ご褒美請求”を送信する。ご褒美請求は、請求データそのものであってもよいし、請求データの内容の全部又は一部を抜粋したものであってもよい。さらに、ご褒美要求は、電子データであってもよいし、紙等の媒体に対し出力されたものであってもよい。ご褒美要求が電子データである場合、参加者は端末装置（スマートフォン等）を広告主の店舗に持参してもよい。そのうえで、参加者は、自身の端末装置に記憶又は表示されているご褒美要求を、広告主端末装置３に読み取らせてもよいし、提示してもよい。
【００４３】
〈第２の実施形態〉
第２の実施形態においては、本システム１のご褒美表示選択手段７は、前記したステップＳ３の直後に以下の処理を実行する。
（ステップＳ１１：ご褒美アンケート）
第１に、ご褒美表示選択手段７は、参加者端末装置２に、ご褒美アンケート画面５１（図３（ａ））を表示する。ご褒美アンケート画面５１には、複数のご褒美の区分が記載されている。ご褒美の区分とは、ご褒美の種類（商品Ａ、商品ｂ、・・・）を、ご褒美を提供する広告主の業種等に応じて分類したものである。
第２に、ご褒美表示選択手段７は、参加者が複数のご褒美の区分のうち任意のものを選択するのを受け付ける。
【００４４】
（ステップＳ１２：エリアアンケート）
第１に、ご褒美表示選択手段７は、参加者端末装置２に、エリアアンケート画面５２（図３（ｂ））を表示する。エリアアンケート画面５２には、複数の提供エリアが記載されている。提供エリアとは、ご褒美が提供される場所である。
第２に、ご褒美表示選択手段７は、参加者が複数の提供エリアのうち任意のものを選択するのを受け付ける。
【００４５】
（ステップＳ１３：アンケート結果集計）
ご褒美表示選択手段７は、ステップＳ１１及びＳ１２の処理を、参加者がご褒美を選択する都度繰り返し、広告主の業種ごと、かつ、エリアごとに、参加者が選択した回数を加算する。そして、加算結果を“ご褒美需要リスト”として記憶装置５に記憶する。
ご褒美表示選択手段７は、広告主端末装置３から“アンケート結果閲覧要求”を受け付けると、広告主端末装置３に対しご褒美需要リストを送信する。ご褒美表示選択手段７は、“アンケート結果閲覧要求”を受け付けることなく、任意の広告主端末装置３に対してご褒美需要リストを送信してもよい。
【００４６】
〈第３の実施形態〉
第３の実施形態において、広告主は、参加者に対して“カード・リンクド・オファー”の型式で、商品等の割引購入サービスを提供する。カード・リンクド・オファーにおいては、ある参加者が使用するクレジットカードの番号に対して“電子クーポン”を関連付ける。電子クーポンの内容は様々であるが、例えば“参加者が当該クレジットカードを使用して、特定の期間に、特定の店舗で、特定の商品等を購入すると、購入代金が自動的に○％割り引かれる”という特典である。このような電子クーポンのそれぞれを、“電子クーポンの種類”と呼ぶ。参加者は、ごく普通にクレジットカードを使用することによって、無意識的に割引購入サービスを利用できる。店舗も、特別な操作を行う必要がない。
【００４７】
図４に沿って、カード・リンクド・オファーを使用する処理手順を説明する。
（ステップＳ２１：広告主からのデータ登録）
本システム１の受信手段８は、広告主端末装置３から、広告主データ２２、電子クーポン、目標データ２４、及び、目標達成判断基準データ２５を受信する。その後、本システム１の記憶装置５は、これらのデータを自身に記憶する。通常、広告主は複数存在するので、受信手段８及び記憶装置５は、当該処理を広告主ごとに繰り返す。なお、電子クーポンの種類に対し、当該電子クーポンが提供され得る参加者の属性（性別、年齢等）が関連付けられているものとする。さらに、電子クーポンの種類は、広告主データ２２と関連付けられているものとする。
【００４８】
（ステップＳ２２：参加者の登録）
本システム１の受信手段８は、参加者端末装置２から、参加者データ２１を受信する。ステップＳ２２の処理は、ステップＳ２の処理と同じである。
【００４９】
（ステップＳ２３：目標及び電子クーポンの選択）
第１に、本システム１の目標表示選択手段６は、ステップＳ３の“第１”及び“第２”の処理を実行する。
第２に、本システム１のご褒美表示選択手段７は、参加者データ２１に含まれる参加者の属性に基づいて、当該参加者に提供され得る電子クーポンの種類をすべて取得する。そして、取得した電子クーポンの種類を参加者端末装置２に候補として表示し、参加者が候補の１つを選択するのを受け付ける。
第３に、ご褒美表示選択手段７は、選択された電子クーポンの種類を参加者データ２１に関連付けて記憶装置５に記憶する。
第４に、目標表示選択手段６は、ステップＳ３の“第５”の処理を実行する。
【００５０】
（ステップＳ２４：目標達成の連絡）
本システム１の受信手段８は、参加者端末装置２から、参加者データ２１及び達成確認データを受信する。ステップＳ２４の処理は、ステップＳ４の処理と同じである。
【００５１】
（ステップＳ２５：目標達成の確認）
本システム１の目標達成確認手段９は、ステップＳ５の“第１”〜“第４”処理を実行する。但し、ステップＳ５において、“ステップＳ４”、“ステップＳ５”及び “ステップＳ６”とあるのは、それぞれ、“ステップＳ２４”、“ステップＳ２５”及び “ステップＳ２６”と読み替える。
【００５２】
（ステップＳ２６：電子クーポンを含む請求データの送信）
第１に、本システム１の編集手段１０は、ステップＳ２４において受信した参加者データ２１を検索キーとして、当該参加者が選択した電子クーポンの種類を記憶装置５から取得する。
第２に、編集手段１０は、取得した電子クーポンの種類を検索キーとして、当該電子クーポンの種類を提供する広告主の広告主データ２２を記憶装置５から取得する。
【００５３】
第３に、編集手段１０は、受信した参加者データ２１、取得した電子クーポンの種類、及び、取得した広告主データ２２の組み合わせに対して保証文言“目標達成確認済”を付し、“請求データ”とする。参加者データ２１は、参加者のクレジットカードの番号を含むものとする。
第４に、本システム１の送信手段１１は、請求データを参加者端末装置２に送信する。さらに、請求データのコピーを広告主端末装置３にも送信する。この段階で、広告主端末装置３は、クレジットカードの番号に対して“電子クーポン”を関連付けて記憶する。
第５に、参加者端末装置２は、本システム１から請求データを受信する。
【００５４】
（ステップＳ２７：電子クーポンの使用）
第１に、広告主の店舗に配置されているＰОＳ（Point of Sales）装置は、参加者が商品等を購入する際に、参加者のクレジットカードの番号及び商品を識別するデータ（バーコード等）を読みとる。
第２に、ＰОＳ装置は、広告主端末装置３にアクセスし、読み取ったクレジットカードの番号に関連付けられている電子クーポンの種類を取得する。前記したように、電子クーポンには、割引率、当該割引率が適用される期間、店舗、商品等が記憶されている。
【００５５】
第３に、ＰОＳ装置は、期間、店舗、商品等の条件がすべて満たされる場合は、商品等の金額に“１−割引率”を乗算した金額を、クレジットカードの番号に関連付けて自身の記憶装置５に記憶する。その後、処理を終了する。
【００５６】
〈第４の実施形態〉
第４の実施形態では、本システム１の受信手段８は、参加者端末装置２から受信する達成確認データを、前記参加者による目標達成の自己申告として設定する。次いで、編集手段１０は、参加者データ２１（参加者の連絡先を含んでいる）及び、目標達成判断基準データ２５を編集し、連絡用データを作成する。連絡用データは、参加者が選択した目標の種類に対応する目標達成判断基準データ２５の具体的基準を含むものとする。さらに、送信手段１１は、連絡用データを、広告主端末装置３に送信する。広告主は、参加者に対し前記ご褒美を送付する旨の連絡をするために、又は、参加者を広告主の店舗へ誘導する旨の連絡をするために、連絡用データを使用する。
【００５７】
広告主は、目標達成を自己申告してきた参加者に対し、“指定の店舗にご来店のうえ、ご褒美を受け取ってください”、“ご来店時には、指定の確認書類等をご持参下さい、又は、指定の確認書類等をご送付ください”のような案内を参加者に送信できる。そして、広告主は、確認種類等によって参加者が目標を達成したことを確認したうえで、ご褒美を提供できる。
【００５８】
〈第５の実施形態〉
参加者が、目標を達成する者とは別の者である場合もある。例えば、ある参加者の娘が出産を控えており、参加者が、自身の娘に代わって、目標の種類である“出産”を選択する例を想定する。この場合、参加者は、新生児の祖父（祖母）である。目標を達成し、その結果ご褒美を受け取る者は、参加者の娘（新生児の母）である。この場合における祖父（祖母）を“代理参加者”と呼び、娘を“真の目標達成者”と呼ぶ。
【００５９】
代理参加者は、本システム１に対し、参加者データ以外に以下の追加情報を登録する。
（１）真の目標達成者を特定するデータ（住所、メールアドレス等）
（２）登録の事実を真の目標達成者に知らせるか否か
（３）ご褒美の種類を選択する者は代理参加者か、それとも、真の目標達成者か
【００６０】
このようにすれば、代理参加者は将来、家族、友人、同僚等にご褒美を贈ることができる。代理参加者が上記（２）において、登録の事実を真の目標達成者に知らせないことを登録した場合、真の目標達成者が目標を達成した時点で、代理参加者、又は、その委任を受けた本システム１が、真の目標達成者が操作する端末装置に対して、“サプライズ通知”を送信する。サプライズ通知は、お祝いの言葉、及び、予め代理参加者が選択したご褒美の種類を含むものとする。代理参加者が上記（３）において、ご褒美の種類を選択する者は真の目標達成者であることを登録した場合、サプライズ通知は、ご褒美の種類の候補を含むものとする。
【符号の説明】
【００６１】
１      目標選択及びご褒美提供の支援システム
２      参加者端末装置
３      広告主端末装置
４      ネットワーク
５      記憶装置
６      目標表示選択手段
７      ご褒美表示選択手段
８      受信手段
９      目標達成確認手段
１０    編集手段
１１    送信手段
２１    参加者データ
２２    広告主データ
２３    ご褒美データ
２４    目標データ
２５    目標達成判断基準データ
【要約】
【課題】多くの種類のご褒美から好みのものを参加者に選択させ、広告主にご褒美の提供を効率的に準備させる。
【解決手段】
本発明の目標選択及びご褒美提供の支援システムは、目標の種類の候補を表示し、表示された目標の種類の候補のうち任意のものを参加者が選択するのを受け付け、参加者端末装置にご褒美の種類の候補を表示し、表示されたご褒美の種類の候補のうち任意のものを参加者が選択するのを受け付け、参加者を特定するデータ及び目標を達成した旨の達成確認データを受信し、受信した参加者を特定するデータに対応する目標達成判断基準を取得し、受信した達成確認データが、取得した目標達成判断基準に、所定の規則を満たす程度に合致しているか否かを判断し、合致している場合は、参加者に対して商品等の広告を行う広告主に対して参加者がご褒美を請求するために使用される請求データを作成又は編集し、作成又は編集された請求データを送信する。
【選択図】図１【図１】
0005806428.tif 000002
【図２】
0005806428.tif 000003
【図３】
0005806428.tif 000004
【図４】
0005806428.tif 000005
【図５】
0005806428.tif 000006